(57)【要約】【課題】液晶表示装置に設けられた共通電極に供給されるＣＯＭ信号が原因となって発生する振動および異音を低減させる。【解決手段】本発明の液晶表示装置１０は、アクティブマトリクス基板と対向基板との間に液晶層が設けられた液晶表示パネル１１を備えている。対向基板には、アクティブマトリクス基板に設けられた絵素電極との間で電位を形成するための共通電極が設けられており、この共通電極は、液晶表示パネル１１内において、第１の共通電極３３ａと第２の共通電極３３ｂとに分割されている。そして、液晶表示装置１０には、分割された各共通電極３３ａ、３３ｂに互いに逆位相となる駆動信号を供給する表示パネル駆動回路２１（駆動部）が備えられている。【選択図】図１
2009058809.tif 000002
【特許請求の範囲】
【請求項１】
アクティブマトリクス基板と対向基板との間に液晶層が設けられた液晶表示パネルを備えている液晶表示装置であって、
上記対向基板には、上記アクティブマトリクス基板に設けられた絵素電極との間で電位を形成するための共通電極が設けられており、
上記共通電極は、上記液晶表示パネル内において分割されているとともに、
分割された各共通電極に互いに逆位相となる駆動信号を供給する駆動部が備えられていることを特徴とする液晶表示装置。
【請求項２】
上記共通電極は、非表示領域の少なくとも一部とそれ以外の領域とで分割されていることを特徴とする請求項１に記載の液晶表示装置。
【請求項３】
上記駆動部は、上記駆動信号を生成する駆動回路と、信号を反転させる信号反転部とを備えており、
上記信号反転部は、上記駆動回路から上記の分割された共通電極のうちの少なくとも一つの共通電極に駆動信号を供給するための配線と、他方の共通電極に駆動信号を供給するための配線との間に設けられていることを特徴とする請求項１または２に記載の液晶表示装置。
【請求項４】
上記の分割された共通電極に駆動信号を供給するための配線を備えており、
該配線は、上記アクティブマトリクス基板上に形成され、上記液晶層に設けられた接続部を介して上記共通電極に接続されていることを特徴とする請求項１〜３の何れか１項に記載の液晶表示装置。
【請求項５】
アクティブマトリクス基板と対向基板との間に液晶層が設けられた液晶表示パネルを備え、上記対向基板には、上記アクティブマトリクス基板に設けられた絵素電極との間で電位を形成するための共通電極が設けられ、該共通電極は、上記液晶表示パネル内において分割されている液晶表示装置の駆動方法であって、
分割された上記の各共通電極に互いに逆位相となる駆動信号を供給することを特徴とする液晶表示装置の駆動方法。
【発明の詳細な説明】
【技術分野】
【０００１】
本発明は、液晶表示装置に発生する異音や振動の改善に関するものである。
【背景技術】
【０００２】
従来から、携帯電話機、ＰＤＡ（Personal Digital Assistant）などの携帯型情報端末装置のディスプレイとして液晶ディスプレイ（ＬＣＤ）が広く利用されている。このような携帯型の情報端末装置に使用されるＬＣＤに対しては、軽量小型化および薄型化が強く求められている。
【０００３】
ＬＣＤは２枚の透明基板の間に挟持した液晶分子への印加電圧を調整することで、液晶分子の並び方を変えて液晶中を通過する光の状態（変更、強度、散乱等）を変化させ、この変化した光を表示に利用したディスプレイ装置である。ＬＣＤは２枚の透明基板の他に、２枚の偏光板、透明電極等を積層して構成されている。これら部材のうちでも２枚の透明基板の厚さが大きな割合を占めている。携帯型情報端末用のＬＣＤの薄型化を図るには、この２枚の透明基板の厚さを薄くする必要がある。
【０００４】
しかし、ＬＣＤを薄型化するために薄いガラス基板を使用すると、ＬＣＤの駆動信号が引き金となってＬＣＤに異常な微振動や異音が発生する場合がある。特に、携帯電話端末用のＬＣＤモジュールの場合には、端末を耳に近づけて使用するために、このような現象は使用者に不快感を与える。
【０００５】
そこで、特許文献１には、携帯型電話端末用のＬＣＤモジュールに異常な微振動や異音が発生することを防止する技術が開示されている。この文献では、異常な微振動や異音の原因をデバイス筐体の残留電荷によるピエゾ効果によるものであるとし、液晶用ガラス基板とデバイス筐体間の帯電電圧を減少させるための除電手段を有する液晶表示装置を提案している。
【０００６】
また、特許文献２には、入力装置と液晶表示装置などの表示装置とを組み合わせたタッチパネル一体型の表示装置において、ノイズ、振動、騒音の軽減を図る技術が開示されている。
【特許文献１】特開２００３−２９５１６２公報（２００３年１０月１５日公開）
【特許文献２】特開２００５−１６４７０９公報（２００５年６月２３日公開）
【発明の開示】
【発明が解決しようとする課題】
【０００７】
ところで、液晶表示パネルの振動には、ＴＦＴ基板に対向して配置されたカラーフィルタ基板（対向基板）の全面に設けられた共通電極（対向電極）に印加される共通電圧を発生させるためのＣＯＭ信号が原因となって発生するものもある。また、ＣＯＭ信号の周波数が可聴領域である場合には、音鳴りも発生してしまう。このようなＣＯＭ信号が原因となって発生する振動および音鳴りへの対策については、上記の特許文献１では具体的に検討されていない。また、上記の特許文献２は、タッチパネル一体型の表示装置における音鳴りを改善するためのものであるため、タッチパネル一体型ではない液晶表示装置の振動および異音を改善するものではない。つまり、上記の各特許文献に記載された発明は、ＣＯＭ信号が原因となって発生する液晶表示装置の振動および異音の対策としては十分ではない。
【０００８】
そこで、本発明は、液晶表示装置に設けられた共通電極に印加される共通電圧を発生させるためのＣＯＭ信号が原因となって発生する振動および異音を低減させることを目的とする。
【課題を解決するための手段】
【０００９】
本発明にかかる液晶表示装置は、上記の課題を解決するために、アクティブマトリクス基板と対向基板との間に液晶層が設けられた液晶表示パネルを備えている液晶表示装置であって、上記対向基板には、上記アクティブマトリクス基板に設けられた絵素電極との間で電位を形成するための共通電極が設けられており、上記共通電極は、上記液晶表示パネル内において分割されているとともに、分割された各共通電極に互いに逆位相となる駆動信号を供給する駆動部が備えられていることを特徴としている。
【００１０】
共通電極に供給される駆動信号とは、共通電極に印加される共通電圧を発生させるための信号である。従来の液晶表示装置においては、この駆動信号の周波数に同期して液晶表示パネルが振動し、また、周波数が可聴領域である場合には、これが音鳴り（異音）として聞こえていた。この原因は、液晶表示パネルの表面に蓄積された電荷が、上記の駆動信号により影響を受け、変化することによって発生するクーロン力である。
【００１１】
本発明の液晶表示装置においては、共通電極が液晶表示パネル内で分割されており、分割された各共通電極に互いに逆位相となる駆動信号を供給する駆動部が備えられている。これによれば、一方の駆動信号によって発生する上記のクーロン力を、他方の逆位相の駆動信号によって打ち消すことができる。これにより、液晶表示装置に発生する振動および異音を低減させることができる。
【００１２】
また、本発明によれば、液晶表示装置に設けられたＬＳＩの修正、製造工程におけるプロセスの追加、部品の追加などを行うことなく、より簡単な構成で液晶表示装置に発生する振動および異音を低減させることができる。
【００１３】
本発明の液晶表示装置において、上記共通電極は、非表示領域の少なくとも一部とそれ以外の領域とで分割されていることが好ましい。
【００１４】
ここで、液晶表示パネルの非表示領域とは、パネルの額縁部分（周辺部）に存在するブラックマトリクスなどの遮光層が設けられている領域であって、画像が表示されない領域のことである。
【００１５】
仮に、表示領域内で共通電極が分割されおり、分割された各共通電極に互いに逆位相の信号を供給した場合、共通電極が分割された領域ごとに表示画像の階調に微妙な差が発生し、これが表示ムラの原因となってしまう可能性がある。
【００１６】
上記の構成によれば、共通電極は、非表示領域の少なくとも一部とそれ以外の領域とで分割されているため、表示領域内で共通電極が分離することを避けることができる。そのため、表示領域内で共通電極が分離していることに起因して発生する表示ムラを防ぐことができる。
【００１７】
本発明の液晶表示装置において、上記駆動部は、上記駆動信号を生成する駆動回路と、信号を反転させる信号反転部とを備えており、上記信号反転部は、上記駆動回路から上記の分割された共通電極のうちの少なくとも一つの共通電極に駆動信号を供給するための配線と、他方の共通電極に駆動信号を供給するための配線との間に設けられていることが好ましい。
【００１８】
上記の構成によれば、各配線の間に信号反転部が備えられていることによって、分割された各共通電極に対して同一の配線を使用して共通電圧（ＣＯＭ信号）を印加することができる。そのため、既存のＬＳＩを使用した単純な回路構成で振動および音鳴りを低減させることができる。
【００１９】
本発明の液晶表示装置は、上記の分割された共通電極に駆動信号を供給するための配線を備えており、該配線は、上記アクティブマトリクス基板上に形成され、上記液晶層に設けられた接続部を介して上記共通電極に接続されていることが好ましい。
【００２０】
上記の構成によれば、対向基板に設けられた共通電極用の駆動回路を、アクティブマトリクス基板に設けられた走査配線および信号配線などの駆動回路と同一基板上にまとめて配置することができる。
【００２１】
本発明にかかる液晶表示装置の駆動方法は、上記の課題を解決するために、アクティブマトリクス基板と対向基板との間に液晶層が設けられた液晶表示パネルを備え、上記対向基板には、上記アクティブマトリクス基板に設けられた絵素電極との間で電位を形成するための共通電極が設けられ、該共通電極は、上記液晶表示パネル内において分割されている液晶表示装置の駆動方法であって、分割された上記の各共通電極に互いに逆位相となる駆動信号を供給することを特徴としている。
【００２２】
本発明の液晶表示装置の駆動方法においては、液晶表示パネル内で分割された各共通電極に対して互いに逆位相となる駆動信号を供給する。これによれば、一方の駆動信号によって発生する上記のクーロン力を、他方の逆位相の駆動信号によって打ち消すことができる。これにより、液晶表示装置に発生する振動および異音を低減させることができる。
【００２３】
また、上記の駆動方法によれば、液晶表示装置に設けられたＬＳＩの修正、製造工程におけるプロセスの追加、部品の追加などを行うことなく、より簡単な構成で液晶表示装置に発生する振動および異音を低減させることができる。
【発明の効果】
【００２４】
本発明の液晶表示装置は、以上のように、アクティブマトリクス基板と対向基板との間に液晶層が設けられた液晶表示パネルを備えている液晶表示装置であって、上記対向基板には、上記アクティブマトリクス基板に設けられた絵素電極との間で電位を形成するための共通電極が設けられており、上記共通電極は、上記液晶表示パネル内において分割されているとともに、分割された各共通電極に互いに逆位相となる駆動信号を供給する駆動部が備えられている。
【００２５】
また、本発明の液晶表示装置の駆動方法は、以上のように、アクティブマトリクス基板と対向基板との間に液晶層が設けられた液晶表示パネルを備え、上記対向基板には、上記アクティブマトリクス基板に設けられた絵素電極との間で電位を形成するための共通電極が設けられ、該共通電極は、上記液晶表示パネル内において分割されている液晶表示装置の駆動方法であって、分割された上記の各共通電極に互いに逆位相となる駆動信号を供給するというものである。
【００２６】
したがって、本発明によれば、簡単な構成で液晶表示装置に設けられた共通電極に印加されるＣＯＭ信号が原因となって発生する振動および異音を低減させることができるという効果を奏する。
【発明を実施するための最良の形態】
【００２７】
本発明の一実施形態について図１〜図３に基づいて説明すると以下の通りである。なお、本発明はこれに限定されるものではない。
【００２８】
本実施の形態の液晶表示装置は、ＴＦＴ（Thin Film Transistor:薄膜トランジスタ）素子を用いたアクティブマトリクス型の液晶表示装置となっている。ただし、必ずしもこれに限らず、ＭＩＭ（Metal Insulator Metal）等のスイッチング素子を取り付けた液晶表示装置とすることも可能である。
【００２９】
図１には、本実施の形態の液晶表示装置１０の構成を示す。また、図２には、図１に示す液晶表示装置１０に備えられた液晶表示パネル１１のＡ−Ａ線断面の構成を示す。
【００３０】
図１に示すように、液晶表示装置１０は、液晶表示パネル１１、および、液晶表示パネル１１上に配された走査配線、信号配線などの各種配線に印加する信号を生成して供給する表示パネル駆動回路２１（駆動部または駆動回路）などを備えている。表示パネル駆動回路２１には、例えば、ソースドライバ、ゲートドライバ、および、共通電極の駆動回路などが備えられている。
【００３１】
図２に示すように、液晶表示パネル１１は、対向して配置された２枚の基板（アクティブマトリクス基板１２および対向基板１３）の間に液晶層１４が配置された構造を有している。液晶表示パネル１１のパネル表面は、観察者に視認される画像を表示する表示領域Ｒ１（図１において斜線を付した領域）と、表示領域Ｒ１の外側（外周部）に設けられ、観察者に画像が視認されない非表示領域（額縁領域とも呼ばれる）Ｒ２とにわけられる。図２に示すように、非表示領域Ｒ２には、バックライトなどの光源からの光を遮蔽するためにブラックマトリクスＢＭが設けられている。
【００３２】
また、図示はしていないが、液晶表示パネル１１の表示領域Ｒ１には、マトリクス状に並んで配置された複数の絵素が設けられている。これらの各絵素に合わせて、アクティブマトリクス基板１２上に、走査信号が印加される走査配線（図示せず）と、データ信号（映像信号）が印加される信号配線（図示せず）とが交差して形成されている。
【００３３】
具体的には、アクティブマトリクス基板１２上に、ゲートドライバから与えられる走査信号が順次印加される走査配線（図示せず）と、ソースドライバから与えられるデータ信号が順次印加される信号配線（図示せず）とが互いに直交するように配置されている。走査配線と信号配線との各々の交差部近傍には、走査配線および信号配線に電気的に接続されたスイッチング素子としてのＴＦＴ（図示せず）が設けられ、各ＴＦＴには透明な絵素電極（図示せず）が接続されている。これにより、絵素が形成されている。
【００３４】
また、非表示領域Ｒ２のさらに外側のアクティブマトリクス基板１２上には、液晶表示パネル１１上に配された走査配線、信号配線などの各種配線に対して信号を供給する表示パネル駆動回路２１が設けられている。
【００３５】
また、液晶層１４を挟んでアクティブマトリクス基板１２に対向して配置された対向基板１３（カラーフィルタ基板とも呼ぶ）は、ガラス基板３１上に、カラーフィルタ層３２と、透明な導電膜からなる共通電極３３とが積層された構造を有している。共通電極３３には、該電極に印加される共通電圧を発生させるためのＣＯＭ信号（駆動信号、または、共通電極駆動信号とも呼ぶ）を送信する共通配線３４（配線）が接続されている。本実施の形態においては、共通配線３４はアクティブマトリクス基板１２上に形成されている。
【００３６】
そして、アクティブマトリクス基板１２上の絵素電極と対向基板上の共通電極３３とによって、液晶層１４に容量を確保するためのコンデンサが構成されている。
【００３７】
この構成において、表示パネル駆動回路２１内のゲートドライバによって、走査配線に順次走査信号が入力されると、この走査信号入力によって一行分の各ＴＦＴのゲートが同時にオンし、表示パネル駆動回路２１内のソースドライバによって信号配線から表示用のデータ信号が１絵素ごとに入力される。
【００３８】
これによって、これらデータ信号が絵素電極に印加され、絵素電極と共通電極との電位差によって液晶の透過率が変化し、液晶表示パネル面上に文字、画像等が表示される。
【００３９】
カラーフィルタ層３２には、Ｒ（Ｒｅｄ：赤）・Ｇ（Ｇｒｅｅｎ：緑）・Ｂ（Ｂｌｕｅ：青）の３原色からなる着色層３２ａが、アクティブマトリクス基板１２上の各絵素電極に対応して配置されている。そして、各着色層３２ａの間には、ブラックマトリクスＢＭが格子状に形成されている。ブラックマトリクスＢＭは、非表示領域Ｒ２にも配置されている。このように、対向基板１３にカラーフィルタ層３２が設けられていることによって、液晶表示パネル１１ではカラー画像表示が可能となる。
【００４０】
共通電極３３は、対向基板１３の略全面に透明な導電膜を配置することによって形成されている。但し、本実施の形態の液晶表示装置１０においては、共通電極３３は、図１に破線で示す領域Ａと、それ以外の領域Ｂとに分離されている。ここで、領域Ａ（３３ａ）は、表示領域Ｒ１の全てと非表示領域Ｒ２の一部とを含む領域であり、領域Ｂ（３３ｂ）は、非表示領域Ｒ２の残りの部分からなる領域である。なお、領域Ａに形成された共通電極を第１の共通電極３３ａとし、領域Ｂに形成された共通電極を第２の共通電極３３ｂとする。
【００４１】
なお、上記のような共通電極の分離の仕方は一例であり、本発明はこれに限定されない。本発明では、共通電極が少なくとも２つの領域に分割されており、分割された各共通電極に互いに逆位相となる共通電極駆動信号が印加されるものであればよい。
【００４２】
しかし、表示領域内で共通電極を分割した場合には、共通電極が分割された領域ごとに表示画像の階調に微妙な差が発生し、これが表示ムラの原因となってしまう可能性がある。そのため、本実施の形態のように、非表示領域Ｒ２の一部と、それ以外の領域（すなわち、非表示領域Ｒ２の残りの部分と表示領域Ｒ１の全領域を含む領域）とで、共通電極が分割されていることが好ましい。これによれば、表示領域内で共通電極が分離していることに起因して発生する表示ムラを防ぐことができる。また、表示領域Ｒ１と非表示領域Ｒ２との間で共通電極が分割されていても同様の効果を得ることができる。
【００４３】
上記のように領域ごとに分割された共通電極の形成は、従来から一般に行われているフォトリソグラフィ技術などを利用した薄膜のパターニング方法によって行うことができる。つまり、スパッタリングなどによって対向基板１３のカラーフィルタ層３２上に共通電極用の金属薄膜（例えば、ＩＴＯ）を成膜した後、フォトレジストを塗布して露光処理を行う。その後、所定の部分をエッチング処理することにより、分割された共通電極を形成することができる。
【００４４】
さらに、アクティブマトリクス基板１２および対向基板１３の外側には図示しない偏光板が設けられている。
【００４５】
また、液晶層１４の内部には、アクティブマトリクス基板１２上に形成された共通配線３４と対向基板１３上に形成された共通電極３３とを接続するための接続部４１が形成されている。接続部４１の材料は、導電性を有するものであれば特に限定されない。なお、アクティブマトリクス基板１２と対向基板１３との間隔を保持するためのスペーサを、上記の接続部４１として利用することも可能である。
【００４６】
続いて、本実施の形態の液晶表示装置１０において、共通電極３３（３３ａ・３３ｂ）に対してＣＯＭ信号（共通電極駆動信号）を供給する方法について説明する。本発明においては、分割された各共通電極に、互いに逆位相となるＣＯＭ信号が供給される。
【００４７】
図３には、共通電極３３に供給されるＣＯＭ信号の波形を示す。図３では、（ａ）に領域Ａ（主に表示領域Ｒ１）の第１の共通電極３３ａに供給されるＣＯＭ信号（これをＣＯＭ１とする）の波形を示し、（ｂ）に領域Ｂ（非表示領域Ｒ２のほぼ全面）の共通電極３３ｂに供給されるＣＯＭ信号（これをＣＯＭ２とする）の波形を示す。
【００４８】
図３に示すように、分割された各共通電極３３ａおよび３３ｂにそれぞれ対応する領域Ａおよび領域Ｂには、互いに逆位相となるＣＯＭ信号（ＣＯＭ１、ＣＯＭ２）がそれぞれ供給される。
【００４９】
図１、２には、２種類のＣＯＭ信号（ＣＯＭ１、ＣＯＭ２）を各共通電極３３ａ・３３ｂに供給する共通配線３４および接続部４１の構成を示す。図１、２に示すように、本実施の形態の液晶表示パネル１１においては、アクティブマトリクス基板１２上に、共通電極３３（３３ａ・３３ｂ）に対して印加するＣＯＭ信号を供給する共通配線３４が形成されている。そして、図１に示すように、分割された共通電極３３のうちの一方の共通電極３３ａに駆動信号を供給する共通配線３４ａと、他方の共通電極３３ｂに駆動信号を供給する共通配線３４ｂとの間には、信号を反転させるインバータ（駆動部、信号反転部）３５が配置されている。
【００５０】
このように、インバータ３５を利用することによって、分割された各共通電極３３ａ・３３ｂに対して同一の共通配線３４を使用して共通電圧（ＣＯＭ信号）を印加することができる。また、表示パネル駆動回路２１で生成された１種類のＣＯＭ信号（駆動信号）から、互いに逆位相となる２種類のＣＯＭ信号（すなわち、ＣＯＭ１、ＣＯＭ２）を生成して各共通電極へ供給することができる。そのため、従来の液晶表示装置に備えられたＬＳＩを使用し、これに単純な回路構成の変更を行うことで振動および音鳴りを低減させることができる。
【００５１】
なお、本実施の形態の液晶表示装置１０では、図１に示すように、表示パネル駆動回路２１に２つの共通配線３４・３４が接続されている。そして、これら２つの共通配線３４・３４からはともに同位相の駆動信号が供給される。このように、表示パネル駆動回路から複数の共通配線を通じて共通電極３３へ駆動信号を印加することによって、配線を短くすることができ、効率的に駆動信号を供給することができる。しかし、本発明は必ずしもこのような構成に限定はされず、少なくとも１本の共通配線が設けられていればよい。
【００５２】
但し、本発明は必ずしも上記のようにインバータを使用して共通電圧を印加するような構成には限定されず、分割された各共通電極に対して別々の配線を用いて別個に駆動信号を供給するような構成であってもよい。
【００５３】
また、図１に示す共通配線３４およびインバータ３５の配置の仕方は一例であり、本発明はこの構成に限定はされない。
【００５４】
具体的には、図１に示す構成では、一つの液晶表示パネル１１に対して、インバータ３５が４個設けられているとともに、接続部４１が全部で８個（第１の共通電極３３ａ側：２個、第２の共通電極３３ｂ側：６個）設けられている。しかし、本発明においては、一つの液晶表示パネルに対してインバータが少なくとも１個設けられており、各共通電極に対して接続部が少なくとも１個ずつ設けられていればいよい。これによれば、ＣＯＭ信号が原因となって発生する振動および異音を低減させるという、本発明の効果を得ることができる。
【００５５】
但し、配線の効率を考慮すれば、インバータは複数個設けることが好ましい。また、接続部についても、各電極に対して複数個ずつ設けるほうが面内の電位のバラツキを抑えることができる。
【００５６】
従来の液晶表示装置においては、共通電極に供給されるＣＯＭ信号の周波数に同期して液晶表示パネルが振動し、また、周波数が可聴領域である場合には、これが音鳴り（異音）として聞こえていた。この原因は、液晶表示パネルの表面に蓄積された電荷が、上記の駆動信号により影響を受け、変化することによって発生するクーロン力である。
【００５７】
本実施の形態の液晶表示装置においては、共通電極が液晶表示パネル内で分割されており、分割された各共通電極に互いに逆位相となる駆動信号を供給する表示パネル駆動回路２１（駆動部）が備えられている。これによれば、一方の駆動信号（ＣＯＭ１）によって発生する上記のクーロン力を、他方の逆位相の駆動信号（ＣＯＭ２）によって打ち消すことができる。これにより、液晶表示装置に発生する振動および異音を低減させることができる。
【００５８】
また、本発明によれば、液晶表示装置に設けられたＬＳＩの修正、製造工程におけるプロセスの追加、部品の追加などを行うことなく、より簡単な構成で液晶表示装置に発生する振動および異音を低減させることができる。
【００５９】
上述した実施形態では、共通電極を２つに分割し、分割された各共通電極に対して互いに逆位相の駆動信号を印加する構成を例に挙げて説明した。しかし、本発明では、共通電極が２つに分割されているものに限定はされない。
【００６０】
共通電極を３つ以上に分割した場合には、分割された各共通電極のうちの少なくとも２つの共通電極に対して、互いに逆位相となる共通電極駆動信号を印加すればよい。
【００６１】
なお、本発明においては、分割される対向電極の数は特に限定はされないが、偶数であることが好ましい。これによれば、分割された対向電極の半数にＣＯＭ信号を供給し、残りの半数の対向電極に、該ＣＯＭ信号（例えば、ＣＯＭ１）とは逆位相のＣＯＭ反転信号（例えば、ＣＯＭ２）を供給することができる。
【００６２】
本発明は上述した実施形態に限定されるものではなく、請求項に示した範囲で種々の変更が可能であり、ここで開示された技術的手段を適宜組み合わせて得られる実施形態についても本発明の技術的範囲に含まれる。
【産業上の利用可能性】
【００６３】
本発明によれば、従来の液晶表示装置に簡単な構造変化を加えることで、振動および異音を低減させることができる。従って、本発明の液晶表示装置は、特に、音鳴りが耳障りになる携帯電話機などの表示装置として好適に利用することができる。
【図面の簡単な説明】
【００６４】
【図１】本発明の一実施の形態にかかる液晶表示装置の構成を示す平面図である。
【図２】図１に示す液晶表示装置に備えられた液晶表示パネルのＡ−Ａ線断面図である。
【図３】図１に示す液晶表示装置の共通電極に供給されるＣＯＭ信号の波形を示す図である。（ａ）は、領域Ａの共通電極に供給されるＣＯＭ信号（ＣＯＭ１）の波形を示し、（ｂ）は、領域Ｂの共通電極に供給されるＣＯＭ信号（ＣＯＭ２）の波形を示す。
【符号の説明】
【００６５】
１０      液晶表示装置
１１      液晶表示パネル
１２      アクティブマトリクス基板
１３      対向基板
１４      液晶層
２１      表示パネル駆動回路（駆動部、駆動回路）
３２      カラーフィルタ層
３３      共通電極
３３ａ    第１の共通電極（共通電極）
３３ｂ    第２の共通電極（共通電極）
３４      共通配線（配線）
３４ａ    共通配線（配線）
３４ｂ    共通配線（配線）
３５      インバータ（駆動部、信号反転部）
４１      接続部
ＢＭ      ブラックマトリクス
Ｒ１      表示領域
Ｒ２      非表示領域
ＣＯＭ１  ＣＯＭ信号（駆動信号、共通電極駆動信号）
ＣＯＭ２  ＣＯＭ信号（駆動信号、共通電極駆動信号）
【図１】
2009058809.tif 000003
【図２】
2009058809.tif 000004
【図３】
2009058809.tif 000005